(57)【要約】  本発明は、無線ネットワーク接続された制御システムＷＮを通して互いと通信する幾つかの装置Ｌ１、Ｌ２、Ｌ３を有する装置構成をコミッションする方法を記載する。本方法は、装置Ｌ１、Ｌ２、Ｌ３を設置するべき設置者により担持された読み取り装置３によって、現在設置されている装置Ｌ１、Ｌ２、Ｌ３にタグ付けされた電子識別タグＴから、一意な識別子ＩＤ１、ＩＤ２、ＩＤ３を読み取るステップと、読み取られた一意な識別子ＩＤ１、ＩＤ２、ＩＤ３を用いて、設置された装置Ｌ１、Ｌ２、Ｌ３の一覧表ＩＶを作成するステップと、一覧表ＩＶを用いて装置Ｌ１、Ｌ２、Ｌ３をコミッションするステップと、を有する。本発明は更に、斯かる装置構成をコミッションするためのコミッションシステム１００、データロガー、及び斯かるコミッションシステム１００において利用可能な装置Ｌ１、Ｌ２、Ｌ３を設置するための設置ツール１を記載する。
2011518513.tif 000002
【特許請求の範囲】
【請求項１】
共有媒体ベースのネットワーク接続された制御システムを通して互いと通信する幾つかの装置を有する装置構成をコミッションする方法であって、
前記装置を設置するべき設置者により担持された読み取り装置によって、現在設置されている装置にタグ付けされた電子識別タグから、一意な識別子を読み取るステップと、
前記読み取られた一意な識別子を用いて、前記設置された装置の一覧表を作成するステップと、
前記一覧表を用いて前記装置のアプリケーションロジックを構成するステップと、
を有する方法。
【請求項２】
前記装置構成の前記装置は、前記装置に割り当てられた前記一意な識別子を用いて、及び、所与のグループ化情報に従って、機能グループへとグループ化され、前記装置のアプリケーションロジックは、当該装置の機能グループに従って構成される、請求項１に記載の方法。
【請求項３】
前記電子識別タグは、無線周波数識別タグを有する、請求項１又は２に記載の方法。
【請求項４】
前記読み取り装置は、前記装置を設置するための設置ツールに組み込まれた、請求項１乃至３のいずれか一項に記載の方法。
【請求項５】
前記一意な識別子は、前記設置ツールが、前記装置又は前記装置の特定の部分に接触したときに、前記電子識別タグから読み取られる、請求項４に記載の方法。
【請求項６】
グループ化情報がユーザインタフェースを介して受信される、請求項１乃至５のいずれか一項に記載の方法。
【請求項７】
グループ化情報が、前記装置に関連した前記一意な識別子の読み取りの時系列的な順序から推測される、請求項１乃至６のいずれか一項に記載の方法。
【請求項８】
装置タイプが、当該装置に割り当てられた前記一意な識別子を用いて推測可能である、請求項１乃至７のいずれか一項に記載の方法。
【請求項９】
グループ化情報が、当該装置が設置される位置を表す位置情報から推測される、請求項１乃至８のいずれか一項に記載の方法。
【請求項１０】
セキュリティ情報が前記電子識別タグに保存され、前記読み取り装置により読み取られ、ネットワーク接続を確立するために用いられる、請求項１乃至９のいずれか一項に記載の方法。
【請求項１１】
前記設置された装置の前記一覧表及び／又は前記一意な識別子、及び／又は前記設置された装置の装置タイプ、及び／又は前記設置された装置の位置情報、及び／又はグループ化情報、及び／又はセキュリティ情報が、前記装置のコミッションを制御するコミッション制御システムに送信される、請求項１乃至１０のいずれか一項に記載の方法。
【請求項１２】
前記装置が異なる機能を持ち及び／又は１つよりも多い機能ユニットを有し、前記装置の各機能又は機能ユニットに一意な識別子が割り当てられる、請求項１乃至１１のいずれか一項に記載の方法。
【請求項１３】
無線ネットワーク接続された制御システムを通して互いと通信する幾つかの装置を有する装置構成をコミッションするためのコミッションシステムであって、
それぞれが一意な識別子に関連付けられた設置されるべき装置構成の特定の装置にそれぞれがタグ付けされた、幾つかの電子識別タグと、
現在設置されている装置にタグ付けされた前記電子識別子タグから前記一意な識別子を読み取るための、前記装置を設置するべき設置者により担持され得る読み取り装置と、
前記読み取られた一意な識別子を用いて、前記設置された装置の一覧表を作成するための作成ユニットと、
前記一覧表を用いて前記装置のアプリケーションロジックの構成を制御するためのコミッション制御システムと、
を有するコミッションシステム。
【請求項１４】
装置構成のコミッションのためのデータロガーであって、
前記データロガーを担持する設置者により現在設置されている装置にタグ付けされた電子識別タグから一意な識別子を自動的に読み取るように構成された読み取り装置と、
前記読み取られた一意な識別子を用いて、前記設置された装置の一覧表を作成するための作成ユニットと、
を有するデータロガー。
【請求項１５】
装置を設置するための設置ツールであって、前記設置ツールにより現在設置されている前記装置にタグ付けされた電子識別タグから一意な識別子を自動的に読み取るように構成された読み取り装置を有する設置ツール。
【発明の詳細な説明】
【技術分野】
【０００１】
本発明は、共有媒体ベースのネットワーク接続された制御システムを通して互いと通信する幾つかの装置を有する装置構成をコミッションする方法を記載する。本発明は更に、斯かる装置構成をコミッションするためのコミッションシステム、データロガー、及び斯かるコミッションシステムにおいて利用可能な設置装置のための設置ツールを記載する。
【背景技術】
【０００２】
共有媒体ベースのネットワーク接続された制御システムは、種々の装置構成の自動化された制御のための、ビジネス（商業、工業、機関）及び消費者向け市場において広まっている。その例は、例えば照明、暖房、換気、安全のための、照明バラスト、スイッチ、減光器又はその他の制御素子から成るビルディング用自動システム、日光／居住センサ、アクチュエータ、メータ等である。共有媒体ベースのネットワークは、幾つかの装置が、同一の伝送媒体又はチャネルを用いて／共有して互いと通信するネットワークとして利用される。典型的な例は、Powerline（登録商標）、Ethernet（登録商標）又は無線ネットワークである。無線制御の利用は、自動装置を、制御媒体としての電源とは独立したものとし、斯くして装置の配置の自由度を実現する。なぜなら、装置はもはや、電力線及び電源コンセントに依存しないためである。無線制御の利用は更に、少なくともスイッチ、センサのようなバッテリにより電源供給を受けるものであり得る装置については、装置の携帯性をも実現する。斯かる無線パーソナルネットワーク（ＷＰＡＮ）の典型的な例は、ZigBee（登録商標）（IEEE802.15.4）、Bluetooth（登録商標）、HomeRF又はWi-Fi（登録商標）である。
【０００３】
しかしながら、斯かるネットワークシステムの利便性のための代償は、増大する安全性リスク及びより多大な維持労力、特に複雑な初期システム構成又は設定である。設定の一部として、アプリケーションロジックの構成が実行される必要がある。即ち、物理的な電源及び／又は制御ケーブルが、例えばどのスイッチがどのランプを制御するかを照明システムにおいて規定する、例えばタイプ及び位置のような特性に基づいて、装置間の制御関係を確立する論理接続を構成することにより置き換えられる必要がある。装置識別子、更には上述したアプリケーションロジックの構成と共にアプリケーションロジック設計を収集してグループ化する処理の全体を、以下「コミッション」と呼ぶ。加えて、通信はビルディングの境界を超えるものであるため、例えば暗号化及び認証を実現するために、セキュリティメカニズムが起動されるべきである。
【０００４】
殆どの共有媒体ベースのネットワークは無線ネットワークであるため、以下、「無線ネットワーク」なる語句は、別のものと言及されない限り又は背景により与えられない限り、他の共有媒体ベースのネットワークと同義として利用され得る。
【０００５】
大きなビルディングの照明システムをコミッションするための一般に利用される最先端の方法は、以下のステップから成る。
−設置者が、装置（ランプ、スイッチ等）の意図される位置を示す紙の間取り図と、設置されるべき装置で満たされたカートを与えられる。
−これら装置の各々が、ボックス及び／又は装置自体に接着された個々のバーコードを持つ。該バーコードは、装置の一意なアドレス、及び任意に装置の初期の一意な鍵を含む。
−各装置の設置の際、設置者は装置のバーコードをボックス／装置から剥がし、紙の間取り図の適切な位置に該バーコードを貼る。
−設置が終了した後、バーコードリーダが利用されて、紙の間取り図から装置識別子を読み取り、例えば中央監視ツールにおいて、間取り図の電子的な表現を生成する。
−該電子的な表現が生成されると、アプリケーション構成がリモートに実行されることができる。
【発明の概要】
【発明が解決しようとする課題】
【０００６】
この最先端の手続きは、以下の欠点を持つ。
−間取り図にバーコードを配置する際に、設置者の一部において付加的で非常に正確な動作が必要とされる。
−バーコードを紙の間取り図に貼る際、及びバーコードを読み取って電子的な間取り図にする際に、誤りが容易に起こり得るため、エラーが起こり易い。
−誤りは電子表現の生成及びアプリケーション構成の後にのみ気付かれ得るものであり、更には、殆どの場合において手動の再コミッションが必要となるため、エラーは修復がやっかいで費用が掛かるものとなる。
【０００７】
これらの不備に対処するため、自動コミッション手順が欧州特許出願公開EP1514381B1において提案されており、該手順は、中央装置において評価されるべき無線信号の飛行時間及び信号強度を測定することを必要とする。不運にも、これらの機能は、標準的な802.15.4／ZigBee無線モジュールによってはサポートされていない。更に、該処理は、変化する伝播条件、装置間で変わるアンテナ特性、及び（特にランプの場合において）信号の強い減衰に帰着する金属筐体のために、信頼性の高くないものとなり得る。更に、斯かる集中化された手法は、大きなデータ輻輳、並びにコミッションＰＣ自体及び全ての位置データを収集し、算出又は転送するための隣接するノードにおける処理負荷に帰着する。
【０００８】
それ故、本発明の目的は、上述した問題を回避しつつ装置構成をコミッションするための、より優れた方法及びコミッションシステムを提供することにある。
【課題を解決するための手段】
【０００９】
この目的のため、本発明は、無線ネットワーク接続された制御システムを通して互いと通信する幾つかの装置を有する装置構成をコミッションする方法であって、以下のステップを有する方法を記載する。
−装置を設置するべき設置者により担持された読み取り装置により、設置されるべき装置にタグ付けされた電子識別タグから、一意な識別子がシームレスに読み取られる。該一意な識別子は、地球規模で一意な装置のハードウェアアドレスのような、装置を識別するためのいずれの個別のデータであっても良い。ここで、「一意な（unique）」なる語は、識別子が少なくとも装置構成に関して一意であって、同一のネットワークにおいてアドレス指定された２つの異なる装置が混同されないことを意味する。設置者により担持又は装着され得る適切な読み取り装置は、以下に詳細に説明される。
−該読み取られた一意な識別子を用いて、設置された装置の一覧表が作成される。
−最後に、該一覧表を用いて、好適には完全に自動化された態様で、該装置構成の装置のためのアプリケーションロジックが構成される。
【００１０】
この状況の明白な利点の１つは、装置構成の更なるコミッションのために必須な、設置に関する情報が、いずれの付加的な時間を浪費するエラーの起き易いステップも必要とすることなく、設置者の通常のタスクの間に収集され得る点である。一方、既知の自動コミッション手順とは異なり、提案される本方法は、確立されたネットワーク基盤に依存せず、そのためネットワーク設定手順において非常に初期に適用されることができ、漸次的なネットワークの設置をサポートする。更に本方法は、かなりの量の時間又は帯域幅を必要としない。
【００１１】
電子識別タグによる各装置のタグ付け、及び識別タグのメモリに一意な識別子を保存することによる一意な識別子への装置の関連付けは、装置を設置する前の適切な時点において実行されても良く、例えば装置は該装置の製造者によって既にタグ付けされ、例えばIEEEアドレスのような識別子に割り当てられていても良い。別の実施例においては、装置は該装置の製造者によって電子識別タグを備えられ、装置構成の設計及び／又は設置を任せられたエンジニアリング企業が、該装置構成において利用される装置に対する識別子の割り当てを提供し、ここで該識別子は、該装置構成の他の装置に対して一意である必要がある。
【００１２】
装置構成をコミッションするための適切なコミッションシステムは、それぞれが設置されるべき装置構成の特定の装置にタグ付けされ、それぞれが一意な識別子に関連付けられた、幾つかの電子識別タグを有する。該コミッションシステムは更に、現在設置されている装置にタグ付けされた電子識別タグから一意な識別子を読み取るための、装置設置者により担持された読み取り装置と、該読み取られた一意な識別子を用いて設置された装置の一覧表を作成するための作成ユニットと、該一覧表を用いて装置のアプリケーションロジック構成処理を制御するためのコミッション制御システムと、を有する。該コミッション制御システムは例えば、装置構成により利用される無線ネットワーク接続された制御システムの装置にアプリケーション構成データを送信するために実施化されるインタフェースを有しても良い。好適である場合には、該無線ネットワーク接続された制御システムはZigBeeネットワークであり、コミッション制御ユニットは、ZigBee装置にメンバシップデータをバインドする又はグループ化することが可能なZigBeeインタフェースを有しても良い。
【００１３】
現在設置されている装置にタグ付けされた電子識別タグから一意な識別子を自動的に読み取るために実施化される読み取り装置は好適には、読み取られた一意な識別子を用いて設置された装置の一覧表を作成するための作成ユニットを同様に有するデータロガーに組み込まれても良く、これにより、以下に説明されるように、設置された装置の一意な識別子が、装置が設置される必要がある時系列的な順序で該一覧表に書き込まれ得る。好適には、該データロガーはまた、無線ネットワーク接続された制御システムのコミッション制御システムにコミッション制御信号を送信するためのインタフェースを有しても良い。斯かる本発明によるデータロガーは、装置を設置している間、常に設置者により担持されていても良い。例えば該データロガーは、腕時計、特殊なリストバンド、又は設置者により装着された他のいずれの適切なツール又はアイテムに一体化されていても良い。
【００１４】
好適な実施例においては、設置者は、装置を設置するための設置ツールであって、データロガー又は読み取り装置を有する設置ツールを利用する。該設置ツール及び読み取り装置は、読み取り装置が、設置者の通常のタスクの間にシームレスに該設置ツールを利用して現在設置されている装置にタグ付けされた電子識別タグから一意な識別子を読み取ることができるように実施化される。
【００１５】
設置者により担持された読み取り装置は、通常の設置手順の間の、シームレスで且つ完全に自動化された識別子及び更なる特定の装置データの収集を可能とする。それ故、平均的な電気技術者により実行されることができる、単純且つエラーのない、設置の間のネットワークコミッションのための手順が得られ、該手順は、無線の知識を必要とせず、作業において電気技術者を手間取らせない。以下に詳細に説明されるように、識別子の他に又は識別子に符号化される他に、タグは、読み取り装置により読み取られコミッション処理において利用され得る、装置のセキュリティ鍵又は装置タイプ等のような、更なる装置特有のデータを保存しても良い。
【００１６】
本発明は好適には照明配置のために利用されるが、ビルディング、ホスピタリティ、リテール、工業、オフィス又は屋外のための、自動アプリケーション（ＨＶＡＣ、安全、セキュリティ、計測等）のための他の全ての装置構成のために利用され得る。
【００１７】
従属請求項及び後続する説明は、本発明の特に有利な実施例及び特徴を開示し、それにより、特にコミッションシステムにおいて、本発明によるデータロガー及び設置ツールは、従属する方法請求項により更に改良され得る。
【００１８】
タグのタイプに依存して、識別子が電子識別タグか読み取られ得る、幾つかの方法がある。
【００１９】
好適な方法においては、電子識別タグは無線周波数識別（ＲＦＩＤ）タグであり、識別子は好適には、例えば数センチメートルの範囲を持つＲＦＩＤ手法のような、非常に短距離の無線周波数技術を用いて送信される。誘電結合に基づいた非常に短距離の通信の使用は、読み取り装置が、現在設置されている装置からのみ識別子を読み取り、近隣の他の装置からは読み取らないことを確実にする。適宜、アクティブ型又はパッシブ型のＲＦＩＤタグが利用されても良い。
【００２０】
代替として、異なるタグ付け技術が利用されても良く、これによればタグ及び読み取り装置は好適には、読み取り処理が、タグと読み取り装置との間の見通し線を必要としないように実現される。
【００２１】
必ずしも供給電源に接続される必要がない装置については、電源を必要としないパッシブ型ＲＦＩＤタグのようなタグが好適に利用される。
【００２２】
タグの配置は、以下のように注意深く実行されるべきである。
（ｉ）タグの位置が、例えば過熱、機械的な力、電磁放射又は電流スパイクによってタグが破壊されることに帰着しない（動作の間の誤りの場合であっても）。
（ii）タグが、装置の基本的な機能に影響（例えば該装置がランプである場合、発せられる光のなかで見えることによる影響）を与えない。
（iii）該位置が、タグが外部から読み取られることを可能とする。例えばＲＦＩＤがタグ利用される場合、少なくとも設置の間以外は、該タグは装置の金属の筐体によりカバーされるべきではない。
（iv）設置者により担持される読み取り装置が、通常の設置操作の間、タグとの通信距離に入ることが確実にされる必要がある。
【００２３】
特に好適な方法においては、読み取り装置が装置を設置するための設置ツールに組み込まれる場合、一意な識別子は、該設置ツールが該装置又は該装置の特定の部分と接触した場合にのみ、電子識別タグから読み取られる。このことは、現在設置されている装置の識別子のみが読み取られることを確実にするための容易な方法である。
【００２４】
タグの斯かる実施例においては、設置されるべき装置及び設置ツールにおける読み取り装置は、該タグと該読み取り装置の間に確立された電気接続を通して生じる通信チャネルを介して識別子を読み取るように実施化されても良い。例えば該タグの電気的な接点が、壁又は天井への装置の装着に必要とされる金属のナットに電気的に接続されても良く、設置装置は、金属の先端がねじ回しの持ち手に一体化された読み取り装置の電気的な接点に接続されるようなねじ回しであっても良い。
【００２５】
最も単純なバージョンにおいては、本発明による手順は、設置された全ての装置のリストの容易且つフールプルーフな生成を可能とする。更に、設置された装置についての情報を収集することにより、本発明は装置のグループ化をも可能とする。このことは、装置構成中の装置が、装置の一意な識別子を用いて、例えばグループ化規則のような所与のグループ化情報に従って、機能グループにグループ化されることを意味する。その後に、装置構成中の装置は、該装置が属する機能グループに従ってコミッションされることができる。種々の機能グループの例は、特定の領域を照明する特定のスイッチにより制御される照明装置のグループであり、例えば特定の部屋、廊下若しくは階段における全ての照明であり、又は、より大きな部屋においては、当該部屋の特定の領域を照明するために利用される全ての照明装置である。他の機能グループは、部屋の窓のブラインド又はシャッターのためのドライバのグループであっても良い。
【００２６】
装置のグループ化は、これら装置のうちの各装置について１つの付加的なステップ、即ちグループ初期化を必要とする。
【００２７】
一実施例においては、グループ化情報がユーザインタフェースを介して受信されても良い。該ユーザインタフェースは好適には、読み取り装置に一体化されていても良い。最も基本的な形態においては、該ユーザインタフェースは、読み取り装置又は設置ツールにおける単純なボタンであっても良い。しかしながら、キーパッド又は音声ベースのユーザインタフェースのような、より精巧なユーザインタフェースが利用されても良い。
【００２８】
例えば、設置者は、新たなグループ又は位置が開始することを示すために、一体化された読み取り装置を持つツールにおけるボタンを押下するだけで良い。このことは、部屋に名前又は部屋番号が未だ割り当てられていないような、新たな、依然として未完成のビルディングにおいては、特に実用的となり得る。他の可能性は、設置者が、例えば音声ベースのユーザインタフェースを介して、実際の部屋番号又は名前を入力できることである。ユーザの発話が処理され、設置者の装置において直接に、又は無線インタフェースを介してデータがより能力の高い装置（例えば中央システムコントローラ）に転送された後に、テキストに変換されても良い。代替としては、部屋番号が、とりわけ例えば部屋名／部屋番号のプレートに一体化されたＲＦＩＤタグのようなタグに保存されても良い。本例においては、設置者は、該プレートの表面の上を通過させるだけで良い。部屋番号を伴うタグが、例えばドアの近くの位置に設置されるべきスイッチの意図される位置に接着され、それによりスイッチが設置されている間に自動的に読み取られても良い。
【００２９】
設置の側に付加的な動作を必要としない一実施例においては、グループ化情報が、装置に関連する一意な識別子を読み取る時間順のシーケンスから推測されても良い。このことは、設置者の通常の作業から新たなグループの開始を推測することを可能とする。例えば、スイッチがドアに隣接する最初の装置であり梯子の使用を必要としないためにドア側のスイッチが常に最初に設置されるという場合には、ドア側の照明スイッチの設置は、新たなグループ及び／又は新たな部屋を示し得る。
【００３０】
特に斯かる状況の場合には、好適には、該コミッション制御システムは、制御関係を定義する処理において、装置設置の順序に基づいて、装置タイプ及び装置グループ化を解決する。代替としては、スイッチ及び種々の照明装置を識別するため、特定の装置に割り当てられた一意な識別子を用いて装置タイプが推測されても良い。このことは、該一意な識別子における装置タイプ情報を符号化することにより実現されても良い。代替としては、装置タイプ情報が、タグにおける別個のエントリとして保存されても良い。更なる可能性は、装置の一意な識別子と関連した、装置タイプについての情報が保存されたデータベースに要求を送信すること、又は装置自体に要求を送信することである。明らかに、該装置タイプについての情報は、ユーザインタフェースを介して入力されても良い。
【００３１】
グループ化情報は、特定の装置が設置される位置を表す位置情報から推測されても良い。該位置情報は、ユーザインタフェースを介して入力されても良い。
【００３２】
特に大規模な設置において、大きな設定の複雑さを伴うシステム中の別の重要なタスクは、一意な識別子と特定の装置の物理的な位置との間のマッピングであるため、位置情報を取得することは、グループ化のために有益であるだけではない。
【００３３】
既に上述したように、鍵のようなセキュリティ情報もが、電子識別タグに記憶され、読み取り装置によって読み取られても良い。該セキュリティ情報は、該識別子から導出されるものであっても良い。例えば、個々の鍵が、ネットワーク鍵の転送を暗号化するために利用されても良い。
【００３４】
ディジタルデータ、とりわけ一意な識別子、設置される装置の位置情報、グループ化情報又は設置者によって収集されたセキュリティ情報は、設置者により担持される読み取り装置を備えたアイテムから、コミッション制御システム、即ち中央システム監視ユニットのような、より能力の高い装置へと転送されても良い。該コミッション制御システムは一覧表を作成し、必要なネットワーク及び／又はアプリケーション構成情報を、無線ネットワーク又は無線ネットワークにおいて利用される装置のインタフェースに送信しても良い。例えば、照明構成のためのZigBeeネットワークにおいては、スイッチを有するZigBeeノードが、該スイッチの機能グループに属する全ての照明装置についての必要な情報を供給されても良い。同様に、全ての照明装置ノードが、当該グループにアドレスを送信する特定のスイッチにより制御された、属するべきグループのグループ識別子についての情報を供給されても良い。斯かるコミッション制御システムの機能は、互いと通信するものであっても良い、幾つかの装置の間で分散されても良い。
【００３５】
読み取り装置を備えたアイテムが適切な通信インタフェースを備える場合には、設置データがコミッション制御システムにリアルタイムにアップロードされることができ、より優れた設置者の進捗の追跡、アプリケーション機能の設計、及び簡略化されたシステムチェック、更には必要であれば再コミッションを可能とする。
【００３６】
代替としては、読み取り装置を備えたアイテムからコミッション制御システムへのデータの転送は、システムの少なくとも一部の設置が完了した後、例えばビルディングにおける各階の設置の後に、実行されても良い。それ故、既に上述したように、好適な実施例においては、該読み取り装置は、一体化されたデータロガーにおいて設置された装置の一覧表を作成するための作成ユニットに直接に接続される。
【００３７】
より精巧な装置構成においては、装置は異なる機能を持ち得、１つ以上の機能ユニットを有し得る。例えば、特にオフィスビルディングにおいては、ドアにおける照明スイッチが２つの別個のボタンを持ち、例えば該オフィスにおける２つの別個の作業場所を独立して照明するため、又は、例えばデスクエリアと会議エリアとのような異なる機能エリアを示すため、それぞれのボタンが部屋の照明の別個のグループを制御する、ということがしばしばある。殆どの場合、照明の設置時には、備品の位置、従って機能エリアの数、位置及びタイプは未知であり得、従って電気技術者によって設定されることはできない。該グループ化は、より進んだアプリケーションロジックと共に、ビルディング管理者により後に追加され、装置のグループ化、位置、タイプ及び／又は設置順序についての既に利用可能な情報を利用することができる。
【００３８】
一方で、或る部屋内の装置のグループ化、及びボタンのスイッチへの割り当てが、設置時に既知である場合には、装置の各機能又は機能ユニットに対して一意な識別子が割り当てられ得る。例えば、２つのボタンスイッチが、ZigBee  エンドポイント番号及びハードウェアアドレス又は他の任意のパラメータをもホストする２つの電子タグを備えられても良い。代替としては、異なる機能を持つ及び／又は１つよりも多い機能ユニットを有する装置の電子識別タグに、１つよりも多い一意な識別子が保存されても良い。後に、設置者はグループの各々を独立して初期化することができる。２つの独立した照明装置グループのための２つのボタンのスイッチの本例においては、スイッチのボタン及び対応するタグは、「左」又は「右」のような明確な識別子を持っても良く、それにより、例えば中央システム監視装置のグラフィカルユーザインタフェースによって又は音声コマンドによって、対応するランプグループが容易に初期化されることができる。
【００３９】
提案される手順は、設置者の仕事を簡略化し、コミッションの誤りの数を減少させることの他に、以下の拡張機能を可能とする。
【００４０】
本方法は、設置者に、設置が成功したか否かをチェックするための単純な手段を提供する。幾つかのテストユニットは、各設置されたノードに対して無線インタフェース（例えば802.15.4／ZigBee）を介してテストメッセージを送信し、応答をログ記録して、全ての装置が電源に接続されていることを確実にし得る。このことは、特定のケーブルにおける電圧のチェックの必要性を回避する。好適には、該テストユニットは、読み取り装置を備えたアイテム、例えば設置ツールに一体化される。照明ユニットのような特殊な場合においては、直接的な機能チェックが利用され得る。例えばテストユニットからコマンドを送信するか、又はスイッチからランプのグループ（例えば部屋内の全てのランプ）に直接送信して、設置者が、全てのランプが正しく割り当てられているか否かを視覚的にチェックすることができるようにする。システム応答が予期されるもの以外であった場合には、設置者は単に通常の設置タスクを繰り返せば良い。
【００４１】
設置手順の間に、特定の装置の位置情報が自動的に収集される場合には、位置情報は即座に、例えば該情報をテストメッセージに含めることにより、設置される装置に供給される。
【００４２】
本方法は、単純な再コミッションを可能とする。新たな装置が追加される又は再配置される場合には、通常の設置者のタスクが単純に繰り返される。
【００４３】
加えて、例えば温度、電圧、修理等の特定の状態チェックが全ての装置について管理要員により実際に実効されたか否かのような、管理タスクを追跡するために、同一のシステムが利用されることができる。
【００４４】
アプリケーション機能のプログラミングは単純化される。容易に利用可能な装置位置／グループ化情報が、抽象的な方法で表現された「標準機能」（例えば「労働時間の間にのみ、且つ当該部屋における日光センサからの日光量が閾値を超えない場合にのみ、全ての部屋における全てのランプが、当該部屋における居住センサに反応しなければならない」）を自動的に展開するために利用されることができる。このことは、手動のアプリケーションのコミッションが完全に省かれるか、又は、複雑な若しくは非典型的なアプリケーションに又は設定のカスタマイズにのみ限定されることを可能とする。
【００４５】
また、本発明による方法は、複数の設置者が並列して作業すること、及び漸次的な設置が実行されることを可能とする。
【００４６】
該コミッション制御システムが、無線ネットワーク接続された制御システムの制御ユニットに一覧表データを転送する場合、セキュアなネットワーク設定がサポートされる。好適な場合には、該無線ネットワーク接続された制御システムはZigBeeネットワークであり、該コミッション制御システムは、ZigBeeネットワークのノードを記述する全ての必要情報をZigBeeのＰＡＮコーディネータに送信することが可能なインタフェースを有しても良く、斯くして該ZigBeeのＰＡＮコーディネータが結合処理において装置を認証することを可能としても良い。更に、該一覧表データが個々の装置の鍵をも含む場合には、セキュアな関連付け及びセキュアなネットワーク鍵交換が実行されることができる。
【００４７】
本発明のこれらの及び他の目的は、添付図面と共に考察される以下の詳細な説明から明らかとなるであろう。しかしながら、図面は単に説明の目的のために描かれたものであると理解されるべきであり、本発明の限定の定義として理解されるべきではない。
【００４８】
図面全体に亘って、同様の番号は同様のオブジェクトを示す。図中のオブジェクトは、必ずしも定縮尺で描かれていない。
【図面の簡単な説明】
【００４９】
【図１】異なる部屋において装置の幾つかの機能グループを有する装置の構成の実施例の模式的な表現を示す。
【図２】本発明の第１の実施例によるコミッションシステムの照明装置のグループ及び設置ツールの模式的な表現を示す。
【図３】本発明の第２の実施例によるコミッションシステムの照明装置及び設置ツールの模式的な表現を示す。
【発明を実施するための形態】
【００５０】
図１を参照すると、装置構成Ｄは、廊下で接続された５つのオフィスを有するフロアに配置されている。装置構成Ｄはここでは基本的には照明構成であり、ここで、本発明が照明システムに限定されるものではないことを示す目的のため、装置の１つは、これらオフィスの空調システムの一部としての換気扇Ｖ７である。
【００５１】
該照明構成は、幾つかの照明要素、即ち照明器具Ｌ１，１、Ｌ１，２、Ｌ２，１、Ｌ２，２、Ｌ３，１、Ｌ３，２、Ｌ４，１、Ｌ４，２、Ｌ４，３、Ｌ５，１、Ｌ５，２、Ｌ６，１、Ｌ６，２、Ｌ６，３を有する。これら照明器具は、該照明器具が設置される部屋に従って、機能グループＧ１、Ｇ２、Ｇ３、Ｇ４、Ｇ５、Ｇ６にグループ化される。各グループＧ１、Ｇ２、Ｇ３、Ｇ４、Ｇ５は、それぞれグループＧ１、Ｇ２、Ｇ３、Ｇ４、Ｇ５の照明器具を制御するためのスイッチＳ１、Ｓ２、Ｓ３、Ｓ４、Ｓ５を有する。換気扇Ｖ７のあるオフィスにおいては、２つの機能ユニットＳ６、Ｓ７を備えた２つのボタンスイッチＳＤが設置され、これにより、一方の機能ユニットＳ６が照明器具Ｌ６，１、Ｌ６，２、Ｌ６，３のグループＧ６に属し、該２つのボタンのスイッチＳＤの他方の機能ユニットＳ７が換気扇Ｖ７に属し、別個の機能グループＧ７を形成する。
【００５２】
グループＧ１、Ｇ２、Ｇ３、Ｇ４、Ｇ５、Ｇ６、Ｇ７の装置Ｌ１，１、Ｌ１，２、Ｌ２，１、Ｌ２，２、Ｌ３，１、Ｌ３，２、Ｌ４，１、Ｌ４，２、Ｌ４，３、Ｌ５，１、Ｌ５，２、Ｌ６，１、Ｌ６，２、Ｌ６，３、Ｖ７、Ｓ１、Ｓ２、Ｓ３、Ｓ４、Ｓ５、ＳＤは、無線ネットワークを用いた互いと通信しても良い。好適な実施例においては、装置Ｌ１，１、Ｌ１，２、Ｌ２，１、Ｌ２，２、Ｌ３，１、Ｌ３，２、Ｌ４，１、Ｌ４，２、Ｌ４，３、Ｌ５，１、Ｌ５，２、Ｌ６，１、Ｌ６，２、Ｌ６，３、Ｖ７、Ｓ１、Ｓ２、Ｓ３、Ｓ４、Ｓ５、Ｓ６、Ｓ７、ＳＤは、ZigBee規格を用いて互いと通信する。それ故、装置Ｌ１，１、Ｌ１，２、Ｌ２，１、Ｌ２，２、Ｌ３，１、Ｌ３，２、Ｌ４，１、Ｌ４，２、Ｌ４，３、Ｌ５，１、Ｌ５，２、Ｌ６，１、Ｌ６，２、Ｌ６，３、Ｖ７、Ｓ１、Ｓ２、Ｓ３、Ｓ４、Ｓ５、Ｓ６、Ｓ７の全てはZigBeeインタフェースを備えられ、それにより、これら装置の幾つかはZigBeeルータとして構成され、他の装置はZigBeeエンドデバイスとして構成されても良い。これら装置の１つは、トラストセンタ及びセキュリティ鍵のためのリポジトリとして動作することを含むネットワークについての情報を保存することが可能なZigBeeコーディネータとして実現されても良い。明らかに、ZigBeeコーディネータとして動作し且つスイッチ又は照明器具のような他の特定の機能を持たない特殊な装置が存在しても良い。
【００５３】
全ての装置（スイッチＳ１、Ｓ２、Ｓ３、Ｓ４、Ｓ５、Ｓ６、Ｓ７、照明器具Ｌ１，１、Ｌ１，２、Ｌ２，１、Ｌ２，２、Ｌ３，１、Ｌ３，２、Ｌ４，１、Ｌ４，２、Ｌ４，３、Ｌ５，１、Ｌ５，２、Ｌ６，１、Ｌ６，２、Ｌ６，３、及び換気扇Ｖ７）は、該装置に関連する一意な識別子を保存した、例えばＲＦＩＤタグのような電子タグＴを備えられる。装置Ｌ１，１、Ｌ１，２、Ｌ２，１、Ｌ２，２、Ｌ３，１、Ｌ３，２、Ｌ４，１、Ｌ４，２、Ｌ４，３、Ｌ５，１、Ｌ５，２、Ｌ６，１、Ｌ６，２、Ｌ６，３、Ｖ７、Ｓ１、Ｓ２、Ｓ３、Ｓ４、Ｓ５、ＳＤを設置するべき設置者Ｐは、設置ツール１を用いて現在設置されている装置のタグＴから識別子を読み取るためのＲＦＩＤを有する設置ツール１を利用する。このようにして、該フロアにおいて設置された全ての装置の単純なリストのような一覧表（好適には設置の順序での）が作成され、装置構成Ｄ又はZigBeeネットワークの更なるコミッションのために利用されることができる。
【００５４】
ここではデータロガーとして動作する設置ツール１の機能は、図２を参照しながらここで詳細に説明される。図２は、それぞれが照明器具Ｌ１、Ｌ２、Ｌ３に取り付けられた幾つかのＲＦＩＤタグＴと、ＲＦＩＤ読み取り装置３を有する設置ツール１と、コミッション制御システム３０と、を有するコミッションシステム１００を示す。コミッション制御システム３０はここでは例えば、ディスプレイ３１、キーパッド３２及びタッチパッド３３を備えたラップトップの形をとる中央システム制御ユニットであり、これによりコミッション制御システム３０はグラフィカルユーザインタフェースを提供する。
【００５５】
ＲＦＩＤタグＴは、該ＲＦＩＤタグＴが照明器具の通常の動作により破壊されないように、且つ該ＲＦＩＤタグＴに保存された一意な識別子ＩＤ１、ＩＤ２、ＩＤ３が照明器具Ｌ１、Ｌ２、Ｌ３の筐体の外部からＲＦＩＤ読み取り器により読み取られ得るように、照明器具Ｌ１、Ｌ２、Ｌ３のソケットに取り付けられる。例えば、ＲＦＩＤタグＴ及び／又は該タグのアンテナ１７（ここではタグと離れたものとして示されるが、通常はタグＴに一体化される）は、該筐体のプラスチックの壁の内側に取り付けられても良い。照明器具Ｌ１、Ｌ２、Ｌ３のそれぞれは、ZigBeeインタフェース１５を更に備え、該インタフェースを通して、照明器具Ｌ１、Ｌ２、Ｌ３が互いと通信することができ、ZigBeeネットワークＷＮを通してスイッチ（図２には図示されていない）と通信することができる。これにより、インタフェース１６の１つは、他の装置からのデータを転送することができるZigBeeルータとして実現され、他のインタフェース１５はZigBeeエンドデバイスとして実現される。
【００５６】
設置ツール１はここでは、照明器具Ｌ１、Ｌ２、Ｌ３の筐体を部屋の壁又は天井に装着するために用いられるねじ回しである。該ねじ回しは、金属の先端部９と持ち手１０とを持つ。ＲＦＩＤ読み取り装置３は、ねじ回しの持ち手１０に組み込まれ、該読み取り装置３は、アンテナ４及び識別子を読み取るために必須な他の通常の全ての構成要素を有し、これら構成要素はここでは明確さのため単一の機能ブロック８として示される。ねじ回しの持ち手１０に一体化される更なる構成要素は、制御ユニット２、ユーザインタフェース５、テストユニット１４、及び例えばZigBee又はBluetoothインタフェースのようなコミッション制御システム３０と通信するためのインタフェース６である。
【００５７】
照明器具Ｌ１、Ｌ２、Ｌ３におけるＲＦＩＤタグＴ及び設置ツール１の持ち手１０におけるＲＦＩＤ読み取り器３は、該ねじ回しがそれぞれの照明器具Ｌ１、Ｌ２、Ｌ３を設置ために利用されるときに、非常に短い距離に亘ってのみ動作するように実現される。このようにして、照明器具Ｌ１、Ｌ２、Ｌ３が該設置ツールを用いて設置されているときに、ＲＦＩＤ読み取り装置３が、特定の照明器具Ｌ１、Ｌ２、Ｌ３の識別子ＩＤ１、ＩＤ２、ＩＤ３のみを読み取ることが確実とされ得る。
【００５８】
検出された識別子ＩＤ１、ＩＤ２、ＩＤ３に基づいて、ソフトウェアモジュールの形で設置ツール１のコントローラ２において実現されても良い作成ユニットを用いて、設置された照明器具Ｌ１、Ｌ２、Ｌ３の一覧表ＩＶが作成される。該作成された一覧表ＩＶは、設置ツール１のメモリ７に保存され、更にはインタフェース６を介してコミッション制御システム３０へと送信されても良い。
【００５９】
設置された装置Ｌ１、Ｌ２、Ｌ３の機能グループへのグループ化を実現するため、設置ツール１の持ち手１０におけるユーザインタフェース５を用いて、設置者によりグループ化情報ＧＩが提供されても良い。例えば、該ユーザインタフェース５は単純なボタン２０を有しても良く、設置者は単に、新たな機能グループの設置を始めるときにはいつでも、該ボタン２０を押下すれば良い。
【００６０】
これに加えて、又は代替として、ユーザインタフェース５は音声インタフェース２１を備えても良く、該インタフェースにより、ユーザは、該ユーザにより現在設置されている装置がどのグループ、例えばどの部屋名に属するかを示すために、口頭による制御発話を入力することができても良い。このようにして、設置者は、例えば該装置が設置される部屋番号の形で、位置情報ＰＩをも与える。更に該設置者は、照明器具又はスイッチのような装置のタイプについての何らかの情報を与えても良い。斯かる装置タイプ情報は、該装置のＲＦＩＤタグに記憶された一意な識別子ＩＤ１、ＩＤ２、ＩＤ３に符号化されても良いし、又は該ＲＦＩＤタグにおける別個のエントリとして記憶されても良い。
【００６１】
エンジニアは、設置ツール１のインタフェース６により受信された一覧表ＩＶ及び／又はグループ化情報ＧＩ及び／又は位置情報ＰＩを用いて、装置構成全体又は無線通信ネットワークシステムＷＮのアプリケーション構成のためのグラフィカルユーザインタフェースを備えたコミッション制御システム３０を用いても良い。これにより、該グラフィカルユーザインタフェースを用いて、エンジニア又は技術者は、装置構成のコミッションを完了するために必要な決定を為しても良い。例えば図１の部屋の１つにおけるスイッチＳＤのような、２つのボタンのスイッチが部屋に設置される場合、エンジニアは、機能ユニットＳ６、Ｓ７のうちどちらが照明器具Ｌ６，１、Ｌ６，２、Ｌ６，３のグループＧ６に割り当てられるべきか、及び、機能ユニットＳ６、Ｓ７のうちどちらがグループＧ７を形成する換気扇Ｖ７に割り当てられるべきかを決定しても良い。
【００６２】
コミッション制御システム３０から、無線ネットワークＷＮ（ここではZigBeeネットワーク）の設定のために必要な情報が、ZigBeeノードのインタフェース１５、１６に送信されることとなる（照明器具Ｌ１、Ｌ２、Ｌ３及びスイッチは図２には図示されていない）。
【００６３】
設置装置１におけるテストユニット１４は、装置Ｌ１、Ｌ２、Ｌ３をテストするために、該設置された装置Ｌ１、Ｌ２、Ｌ３の１つ以上に直接、設置ツール１からテスト信号を送信するために利用されても良い。例えば、設置者が部屋に全ての装置を設置し終えた場合に、該設置者は、設置ツール１のユーザインタフェース５によりテスト要求を発行しても良く、テスト信号はこれら装置の一意な識別子を用いてテストユニット１４により生成され、該テスト信号がインタフェース６を介してそれぞれの装置に送信されても良い。それ故、インタフェース６は、ZigBee規格においても、例えば図２に示された実施例において、設置された装置のインタフェース１５、１６と同じ規格で動作するべきである。
【００６４】
図２に示された更なる実施例においては、制御ユニット２は任意に、２つの更なるソフトウェアモジュール、即ちグループ化ユニット１２及びコミッション制御ユニット１３を有する。グループ化ユニット１２は、識別子ＩＤ１、ＩＤ２、ＩＤ３に基づいて、及びグループ化情報ＧＩに基づいて、装置の自動的なグループ化を提供する。このとき、一覧表ＩＶは、装置Ｌ１、Ｌ２、Ｌ３の単なるリストにとどまらず、装置Ｌ１、Ｌ２、Ｌ３又は装置Ｌ１、Ｌ２、Ｌ３の識別子ＩＤ１、ＩＤ２、ＩＤ３が既に機能グループにグループ化されているリストである。コミッション制御ユニット１３は、ZigBeeネットワークを設定するために装置によって必要とされる完全なコミッション情報を送信するために必要な全ての信号を提供しても良い。この場合、コミッション情報Ｃ１が、設置装置のインタフェース６から、設置された装置Ｌ１、Ｌ２、Ｌ３のZigBeeインタフェース１５，１６の１つ以上へと直接に送信されても良く、コミッション制御システム３０のグラフィカルユーザインタフェースを用いた更なるコミッションは必須ではない。この処理は例えば、全ての又は多くの部屋において同一のアプリケーションロジックが利用されるような、あまり複雑ではない場合に利用されても良い。
【００６５】
図３において、本発明によるコミッションシステム１００'の更なる実施例が示されている。該コミッションシステム１００'は、図２によるコミッションシステムに非常に類似している。明確さのため、図２における装置Ｌ１、Ｌ２、Ｌ３と同様に構築され且つZigBeeネットワークを通して他の装置と通信するためのZigBeeインタフェース１４をも有する、１つの装置Ｌ４のみが示されている。
【００６６】
図２に示された装置とは異なり、ここでは、照明器具Ｌ４の筐体のねじ１８、１９の少なくとも一方に電気的に接続されたタグＴ'が、ＲＦＩＤタグＴの代わりに用いられる。従って、読み取り装置３'はここでは、図２のコミッションシステム１００とは異なり、ＲＦＩＤ読み取り器ユニットではなく、ねじ回し１'の金属の先端９と電気的に接触した読み取り器３'である。該コミッションシステム１００'においては、電子タグＴ'に記憶された識別子ＩＤ４が、金属のねじ及びねじ回し１'の金属の先端９により与えられる電気的接続を介して読み取り装置３'により読み取られる。このようにして、例えば照明器具Ｌ４を部屋の天井に装着するときに、ねじ回しの先端９がねじ１９に物理的に接触している場合にのみ、識別子ＩＤ４が読み取り装置３'によって読み取られることができる。
【００６７】
ねじ回し１'の更なる構成要素２、５、７、６、１４及びこれら構成要素の機能は、図２に示されたねじ回し１におけるものと同一であっても良い。ここで示される実施例においては、コミッション制御システム３０は、図２に示されたようなシステムの更なるコミッションのためにも利用されても良い。
【００６８】
本発明は好適な実施例及びそれに対する変形例の形で開示されたが、多くの付加的な変更及び変形が、本発明の範囲から逸脱することなく為され得ることは理解されるであろう。特に、ねじ回しの代わりに、レンチ、六角棒スパナ（Allen key）、又は好適には種々の装置タイプを設置するための多機能設置ツールのような、特定の装置を設置するために好適な他のいずれの設置ルーツもが、本発明により実施化されても良い。エンジニアリングツールの代わりに、例えば腕時計、ブレスレット、手袋等のような、いずれの適切な設置者が装着する装置であっても良い。明確さのため、本明細書を通して、「１つの（a又はan）」の使用は複数を除外するものではなく、「有する（comprising）」は他のステップ又は要素を除外するものではないことは理解されるべきである。「ユニット（unit）」又は「モジュール（module）」は、別段言及されていない限り、幾つかのユニット又はモジュールを有し得る。
【図１】
2011518513.tif 000003
【図２】
2011518513.tif 000004
【図３】
2011518513.tif 000005
【国際調査報告】
2011518513.tif 000006
2011518513.tif 000007
2011518513.tif 000008